(57)【要約】【課題】陳列棚の載置台の前方領域に配置される棚札表示を、立ち姿勢の顧客に見やすく表示させる。【解決手段】プロジェクタ装置１４から投射されたプロジェクタ画像は、透過型スクリーン７の裏面側に導くように確保された画像投影空間１８を通過した後に、透過型スクリーン７の裏面側に投影されて、表面側まで透過投影される。陳列棚１が備える品物４を載置するための載置台６の前方領域には、透過型スクリーン７が上方向に傾斜して配置される。【選択図】図３
2008194121.tif 000002
【特許請求の範囲】
【請求項１】
品物を載置可能であって異なる高さ位置に配置された複数個の載置台と、
前記載置台に個々に対応付けて当該載置台の前方領域に上方向に傾斜させて位置付けられ、裏面側から投影されたプロジェクタ画像を表面側に透過投影可能な複数個の透過型スクリーンと、
一画面で構成されたプロジェクタ画像を投影するプロジェクタ装置が配置されるプロジェクタ設置部と、
前記プロジェクタ装置から投影されたプロジェクタ画像を個々の前記透過型スクリーンの裏面側に分割して導く光学系と、
を備える陳列棚。
【請求項２】
前記プロジェクタ設置部は、最下段に配置される前記載置台よりも下方に設けられる、請求項１記載の陳列棚。
【請求項３】
前記光学系の一部をなし前記最下段に配置される載置台に対応付けて位置づけられる前記透過型スクリーンに前記プロジェクタ画像を導く光学系は、折り返し光学系である、請求項２記載の陳列棚。
【請求項４】
前記プロジェクタ設置部は、最上段に配置される前記載置台の上部に形成される品物を載置可能な載置空間よりも上方に設けられる、請求項１記載の陳列棚。
【発明の詳細な説明】
【技術分野】
【０００１】
本発明は、裏面側に受けたプロジェクタ画像を表面に透過投影可能な透過型のスクリーンを備えた陳列棚に関する。
【背景技術】
【０００２】
従来、スーパーマーケットやコンビニエンスストアなどの小売業の店舗の売場等で、陳列する品物の価格やその他の情報を顧客に示すために陳列棚の前面に付される棚札が用いられている。棚札に記載されている情報を変更したり、品物を陳列する位置を変えることに伴って棚札を移動したりする際の手間を軽減すべく、棚札表示を電子化して表示する陳列棚の発明が開示されている。例えば、特許文献１には、各載置台の前面に水平方向の長さを有する液晶パネルや有機ＥＬパネル等の薄型表示装置を設置した陳列棚が、特許文献２には、液晶ディスプレイやＬＥＤディスプレイ等で実現された表示部を設けた陳列棚が、それぞれ開示されている。
【０００３】
【特許文献１】特開２００５−０９９８８８公報
【特許文献２】特開平０７−０１７６０８号公報
【発明の開示】
【発明が解決しようとする課題】
【０００４】
特許文献１や特許文献２で開示されている陳列棚では、液晶パネルや有機ＥＬパネルなどの表示装置に、品物の情報を表示している。この表示装置は陳列棚の前方領域に鉛直に設置されていることが多いが、この表示装置が陳列棚の下方に配置されると、顧客は表示装置に表示されている品物の情報を見るために、姿勢を低くしたり、しゃがんだりしなければならない。
【０００５】
本発明の目的は、陳列棚の載置台の前方領域に配置される棚札表示を、立ち姿勢の顧客に見やすく表示させることである。
【課題を解決するための手段】
【０００６】
本発明の陳列棚は、品物を載置可能であって異なる高さ位置に配置された複数個の載置台と、前記載置台に個々に対応付けて当該載置台の前方領域に上方向に傾斜させて位置付けられ、裏面側から投影されたプロジェクタ画像を表面側に透過投影可能な複数個の透過型スクリーンと、一画面で構成されたプロジェクタ画像を投影するプロジェクタ装置が配置されるプロジェクタ設置部と、前記プロジェクタ装置から投影されたプロジェクタ画像を個々の前記透過型スクリーンの裏面側に分割して導く光学系と、を備える。
【発明の効果】
【０００７】
本発明によれば、棚札表示となるプロジェクタ画像が、陳列棚の載置台の前方に上方向に傾斜させて位置づけられた透過型スクリーンの表面側に透過投影されるため、棚札表示を、立ち姿勢の顧客に見やすく表示させることができる。
【発明を実施するための最良の形態】
【０００８】
［構造］
本発明の実施の一形態を図１ないし図４に基づいて説明する。本実施の形態は、スーパーマーケットへの適用に適した陳列棚システム１０１について紹介する。
【０００９】
図１は、陳列棚システム１０１の全体の模式図である。
【００１０】
本実施の形態の陳列棚システム１０１は、店舗内に設置される陳列棚１と、陳列棚１の内部に設置されるプロジェクタ装置１４と、バックヤードに配置されるコンピュータ１６とから構成されている。プロジェクタ装置１４とコンピュータ１６とは、ネットワーク１０２を介して接続されている。
【００１１】
陳列棚１は、品物４を載置して陳列可能な載置台６を備えている。載置台６は、側面を一対の側板３に支持されている棚板であり、それぞれ異なる高さ位置に三段設けられている。陳列棚１は、また、各載置台６の前端から下方に、鉛直よりも上方向に傾斜されて位置づけられているスクリーン７を備えている。つまり、スクリーン７は、各載置台６に個々に対応付けて当該載置台６の前方領域に位置づけられることになる。このスクリーン７は、例えば磨りガラス様の構造を備え、裏面側から投影されるプロジェクタ画像を表面に透過投影可能な透過型のものである。スクリーン７は、載置台６の幅一杯に切れ目無く形成されている。このようなスクリーン７は、陳列棚１の上部を覆う天板２の前端の下方にも設けられている。
【００１２】
プロジェクタ装置１４は、陳列棚１が備えているスクリーン７に向けてレンズ１５（図３参照）からプロジェクタ画像を投射する、例えば液晶プロジェクタである。プロジェクタ装置１４は陳列棚１の内部に設けられるプロジェクタ設置部１９ａに配置される。そして、プロジェクタ装置１４は、バックヤードに設置されたコンピュータ１６から送信された画像を受信し、受信した画像データに基づく一画面で構成されたプロジェクタ画像を生成してスクリーン７に投影する。
【００１３】
コンピュータ１６は、その外観態様として、本体タワー１０３、ディスプレイ１０４、キーボード１０５、およびマウス等のポインティングデバイス１０６を備えて構成されている。コンピュータ１６は、プロジェクタ装置１４が投射するプロジェクタ画像の画像データを管理する。
【００１４】
図２は、陳列棚１の全体の斜視図である。
【００１５】
陳列棚１の外観構成について、図２に基づいて、さらに詳しく説明する。
【００１６】
陳列棚１は、その枠組みを、一対の側板３に挟まれる天板２、背板１０（図３参照）および下部前板１１によって構成される。
【００１７】
天板２は、陳列棚１の最上部に位置づけられ一対の側板３に挟まれて水平となるように固定されている。天板２の前端の下方には、トップスクリーン７ｄが天板２および一対の側板３に固定されて鉛直方向に設置されている。
【００１８】
下部前板１１は、陳列棚１の前面の下方に、下辺を床面に接して位置づけられ、一対の側板３に挟まれて鉛直となるように固定されている。また、背板１０は、陳列棚１の背面に、下辺を床面に接し、上辺を天板２に接続して、一対の側板３に挟まれて鉛直となるように固定されている。
【００１９】
陳列棚１には、品物４を陳列する３段の載置台６が配置されている。すなわち、陳列棚１の下方には最下段の載置台６ｃが配置され、順次上方に向け中段の載置台６ｂ、最上段の載置台６ａが配置されている。各載置台６（６ａ、６ｂ、６ｃ）は一対の側板３に挟まれて水平となるように固定されている。各載置台６の前端の下方には、スクリーン７ａ、７ｂ、７ｃが鉛直よりも上方向に傾斜して配置されている。このうち、スクリーン７ａ、７ｂは、載置台６ａ、６ｂおよび一対の側板３に固定されて配置されている。また、スクリーン７ｃは、載置台６ｃ、下部前板１１および一対の側板３に固定されて配置されている。
【００２０】
各載置台６の奥側端部には、載置台６の奥行きを規定する奥板１０ａが立設配置される。
【００２１】
各奥板１０ａの最上部からは、載置台６の設置方向に沿って載置台６の天井部をなす天井板９（図３参照）が配置されている。天井板９はスクリーン７の裏面側に、プロジェクタ装置１４から投影されたプロジェクタ画像を遮らないように水平方向から所定の傾きを形成してそれぞれ配置される。各天井板９は、その前端を各天井板９の上方に配置されているスクリーン７の下端に接続する。
【００２２】
各天井板９の上方には、載置台６や天板２と平行に平面状の広がりをもった段部画像投影空間１８が形成されている。より詳細には、スクリーン７ａに接続する天井板９と載置台６ａとの間の領域には段部画像投影空間１８ａが、スクリーン７ｂに接続する天井板９と載置台６ｂとの間の領域には段部画像投影空間１８ｂが、スクリーン７ｄに接続する天井板９と天板２との間の領域には段部画像投影空間１８ｄが、それぞれ形成されている。
【００２３】
図３は、陳列棚１の縦断側面図である。
【００２４】
陳列棚１の内部構成について、図３に基づいて、さらに詳しく説明する。
【００２５】
陳列棚１は、最下段に配置される載置台６ｃよりも下方で、下部前板１１と背板１０との間に上下方向に広がりを持って形成されている下部空間１９に、プロジェクタ設置部１９ａを備えている。プロジェクタ設置部１９ａは、陳列棚１の底面を構成する底板１０ｂの上に、プロジェクタ装置１４の光学軸Ｏを後方水平方向に向けてプロジェクタ装置１４を配置する形状に構成されている。
【００２６】
陳列棚１は、また、その内部空間に、プロジェクタ設置部１９ａに配置されたプロジェクタ装置１４から投射されるプロジェクタ画像を分割し、分割された個々の分割プロジェクタ画像を遮ることなく各スクリーン７の裏面側まで導く光学系２３を備えている。光学系２３は、主反射鏡２１と、２枚の折り返し鏡２２と、４枚の投影鏡２４とにより構成されている。これらの反射鏡はいずれも平面鏡であり、プロジェクタ画像を反射する鏡面を一方の面に備えている。
【００２７】
光学系２３を構成するこれらの反射鏡について、以下に説明する。
【００２８】
主反射鏡２１は、陳列棚１の内部空間の奥側で、底板１０ｂの近傍に位置づけられ、プロジェクタ装置１４から水平方向に投射されるプロジェクタ画像を上方向に偏向させる向きに配置される。
【００２９】
４枚の投影鏡２４は、陳列棚１の背面で背板１０と奥板１０ａとの間に背板１０と平行に鉛直方向の広がりをもって形成されている奥側画像投影空間１７に、それぞれのスクリーン７に対応づけて、主反射鏡２１の上方に配置される。投影鏡２４はその上端を対応するスクリーン７の上縁部の高さ位置に合わせ、プロジェクタ画像をスクリーン７に投影する向きに配置される。すなわち、投影鏡２４ａはプロジェクタ画像をスクリーン７ａに投影する向きに、投影鏡２４ｂはプロジェクタ画像をスクリーン７ｂに投影する向きに、投影鏡２４ｃはプロジェクタ画像をスクリーン７ｃに投影する向きに、投影鏡２４ｄはプロジェクタ画像をスクリーン７ｄに投影する向きに、それぞれ配置される。
【００３０】
２枚の折り返し鏡２２は、下部空間１９に配置され、投影鏡２４ｃとともに最下段に位置付けられるスクリーン７ｃにプロジェクタ画像を導く折り返し光学系を構成する。より詳細には、折り返し鏡２２ａは主反射鏡２１と投影鏡２４ｃとの間に、主反射鏡２１で偏向されて入射されるプロジェクタ画像の投射光のうち折り返し鏡２２ａの上端に入射される入射光を前方水平方向に投射する向きに配置される。折り返し鏡２２ｂは最下段の載置台６ｃの下方に、投影鏡２４ｃと平行に配置される。
【００３１】
光学系２３を構成する反射鏡のうち、投影鏡２４ａ、２４ｂ、２４ｄおよび折り返し鏡２２ａは、陳列棚１の前後方向に位置を違えて、主反射鏡２１によって偏向されて下方から入射されるプロジェクタ画像を互いに遮らない位置関係に配置される。また、折り返し鏡２２ｂおよび投影鏡２４ｃは、主反射鏡２１、投影鏡２４ａ、２４ｂ、２４ｄおよび折り返し鏡２２のそれぞれに投影されるプロジェクタ画像を遮らない位置に、それぞれ配置される。また、折り返し鏡２２ａ、２２ｂおよび投影鏡２４ｃは、プロジェクタ画像がスクリーン７ｃに投影されるまでの投射経路を遮らない位置にそれぞれ配置される。
［作用］
このような構成において、陳列棚１は、顧客に品物４に関する情報を棚札表示として表示する。つまり、陳列棚１の内部に備えられたプロジェクタ装置１４は、棚札表示の内容を含んだ一画面構成のプロジェクタ画像を投射する。投射されたプロジェクタ画像は、投影鏡２４ａ、２４ｂ、２４ｄおよび折り返し鏡２２ａに入射される。投影鏡２４ａ、２４ｂ、２４ｄおよび折り返し鏡２２ａは、入射されるプロジェクタ画像を互いに遮らない位置関係に配置されており、プロジェクタ画像はこれらの反射鏡によって分割される。
【００３２】
分割されたプロジェクタ画像のうち、投影鏡２４ａ、２４ｂに入射された分割プロジェクタ画像は、スクリーン７ａ、７ｂの裏面側に投影され、表面側に透過投影される。また、分割されたプロジェクタ画像のうち、折り返し鏡２２ａに入射された分割プロジェクタ画像は、折り返し鏡２２と投影鏡２４ｃとを備える反射光学系を経由した上でスクリーン７ｃの裏面側に投影され、表面側に透過投影される。また、分割されたプロジェクタ画像のうち、投影鏡２４ｄに入射された分割プロジェクタ画像は、トップスクリーン７ｄの裏面側に投影され、表面側に透過投影される。
【００３３】
以上に述べたような投射経路を経た上で、プロジェクタ装置１４から投射される一画面構成のプロジェクタ画像は、陳列棚１の上部に設けられたトップスクリーン７ｄ、および、載置台６の前面領域に設けられたスクリーン７ａ、７ｂ、７ｃに、分割され透過投影されて表示される。そこで、本実施の形態の陳列棚１を用いると、一画面構成のプロジェクタ画像内の各スクリーン７と対応する領域にＰＯＰ広告や棚札表示を表現した画像データをコンピュータ１６からプロジェクタ装置１４に送信し、プロジェクタ装置１４から一画面構成のプロジェクタ画像を各スクリーン７に投影して、顧客にＰＯＰ広告や棚札表示を行うことができる。例えば、陳列棚１に各種の野菜を陳列する場合、コンピュータ１６を操作してプロジェクタ画像内のトップスクリーン７ｄと対応する領域に「野菜特売セール！！」というＰＯＰ文字と野菜のイラストとを描画して顧客の目につきやすいＰＯＰ広告の画像を作成すると、トップスクリーン７ｄには陳列棚１に陳列される品物４全体の顧客へのアイキャッチャーとなるＰＯＰ広告が投影される。同様に、コンピュータ１６を操作して、プロジェクタ画像内のスクリーン７ａ、７ｂ、７ｃと対応する各領域に、「特売セールス中」、「全品１０％ＯＦＦ」、および、「白菜１個１２０円」などの棚札表示の画像を作成すると、スクリーン７ａ、７ｂ、７ｃには陳列棚１に陳列される品物４に対応する情報を棚札表示として顧客に対し表示することができる。
【００３４】
ところで、プロジェクタ装置は、プロジェクタ画像をその前面に設けられているレンズを通してスクリーンに投影する。一般に、レンズを通して結ばれる物体の像は、その物体を含む物体面とは共役の関係にある像面に正確に合焦する。そのため、プロジェクタ装置から投影されるプロジェクタ画像をスクリーンに正確に合焦して投影させるには、プロジェクタ装置の内部に設けられている液晶表示装置を物体面として、その液晶表示装置と共役の関係にある像面の位置に一致させてスクリーンを配置する必要がある。
【００３５】
本実施の形態の陳列棚１に備わるスクリーン７ａ、７ｂ、７ｃに表示される内容は品物４の情報を示す棚札表示であり、スクリーン７ａ、７ｂ、７ｃに投影されるプロジェクタ画像は棚札表示としての機能を果たす程度に結像されればよい。そこで、プロジェクタ画像の結像とスクリーン７の配置との関係について説明する。
【００３６】
図４は、スクリーン７に投影されるプロジェクタ画像の投射経路を示す縦断側面図である。
【００３７】
まず、主反射鏡２１と、投影鏡２４と、折り返し鏡２２とが配置されていない状態を想定する。主反射鏡２１が形成する面Ｓに関して対称となる位置に配置されたプロジェクタ装置１４に対応する仮想プロジェクタ装置１４ｓの投影光学系の光学軸Ｏは、鉛直線Ｐに対して角度θをなしている。そして、液晶表示装置２５に対応する仮想液晶表示装置２５ｓの像は、光学軸Ｏに対して垂直な面、すなわち仮想的な像面２７に合焦して歪みなく投影される。
【００３８】
スクリーン７ａと投影鏡２４ａとに着目する。今、投影鏡２４ａを考慮しないと、スクリーン７ａの最上部に投射されるべき光Ｌａは、光学軸Ｏと角度κをなして、主点２６、投影鏡２４ａで反射する反射点２８ａの順に通過した上で仮想的な像面２７に至る。このとき、光Ｌａと像面２７とは角度α（α＝π／２−κ）をなし、光Ｌａが反射点２８ａから像面２７に到達するまでの距離はＤａである。
【００３９】
そこで、投影鏡２４ａを配置したときに、スクリーン７ａの上端の位置を投影鏡２４ａから前方水平方向に距離Ｄａだけ離れ、水平に配置された載置台６ａに対して角度αだけ内側に傾斜する像面２９ａにスクリーン７ａが配置されると、液晶表示装置２５とスクリーン７ａとは共役な位置関係となる。
【００４０】
スクリーン７ｂ、７ｃ、７ｄについても、像面２９ｂ、２９ｃ、２９ｄに配置されると、液晶表示装置２５とは共役な位置関係となる。
【００４１】
すなわち、スクリーン７ｂは、その上縁部が投影鏡２４ｂから前方水平方向に距離Ｄｂだけ離れ、かつ、載置台６ｂに対して角度β（β＝π／２−λ）だけ内側に傾斜するような像面２９ｂに配置されると、液晶表示装置２５とスクリーン７ｂとは共役な位置関係となる。
【００４２】
また、スクリーン７ｃは、スクリーン７ｃの上縁部に投射されるべき光Ｌｃの折り返し鏡２２ａからスクリーン７ｃまでの折り返し光学系における光学的距離がＤｃ（Ｄｃ＝Ｄｃ１＋Ｄｃ２＋Ｄｃ３）となるように投影鏡２４ｃの前方水平方向に位置づけられ、かつ、載置台６ｃに対して角度γ（γ＝π／２−μ）だけ内側に傾斜するような像面２９ｃに配置されると、液晶表示装置２５とスクリーン７ｃとは共役な位置関係となる。
【００４３】
また、スクリーン７ｄは、その上縁部が投影鏡２４ｄから前方水平方向に距離Ｄｄだけ離れ、かつ、天板２に対して角度δ（δ＝π／２−ν）だけ内側に傾斜するような像面２９ｄに配置されると、液晶表示装置２５とスクリーン７ｄとは共役な位置関係となる。
【００４４】
ここで、本実施の形態の陳列棚１についてみるに、スクリーン７ａ、７ｂ、７ｃは、表示内容が立ち姿勢の顧客にとって見やすいように、鉛直よりも上方向に傾斜して設置されている。また、トップスクリーン７ｄは、鉛直に設置されている。プロジェクタ装置１４のレンズ１５の被写界深度によって、像面２９の近くにスクリーン７が配置されれば、顧客にとっては表示内容を十分に認識することができる程度のピントで結像した投影像が結ばれることになる。
【００４５】
よって、スクリーン７を鉛直よりも上方向に傾斜して載置台６の前方領域に設置しても、スクリーン７に投影するプロジェクタ画像を、棚札表示として顧客に対し表示するには十分である程度のピントで結像させることができる。
【００４６】
また、これらのスクリーン７が、本実施の形態のスクリーン７ｃのように陳列棚１の下方に位置づけられてプロジェクタ装置１４に近い位置に配置されている場合でも、折り返し鏡２２（２２ａ、２２ｂ）を設けて、プロジェクタ装置１４から投射されるプロジェクタ画像をスクリーン７ｃに結像させるのに十分な光学的距離を設けることができる。このように、プロジェクタ画像の投射経路の途中に折り返し鏡２２を設けることによって、各スクリーン７、とりわけ最下段に設けられたスクリーン７ｃにも、そのスクリーン７に投影された表示内容を顧客に認識させることができる程度にプロジェクタ画像を結像させることができる。
［別の実施の形態］
次いで、別の実施の形態を図５に基づいて説明する。この場合、図１ないし図４に基づいて説明した実施の一形態と同一の部分は同一符号で示し、説明も省略する。
【００４７】
本発明の別の実施の一形態の陳列棚１は、スクリーン７ｃに表示する光学系の配置が前述した実施の形態と異なる。つまり、本実施の形態の折り返し鏡２２は、分割プロジェクタ画像を上下方向に折り返すように設置され、投影鏡２４ｃが折り返し鏡２２よりも前方に設けられている点で、前述した実施の形態と相違する。
【００４８】
図５は、本実施の形態においてスクリーン７に投影されるプロジェクタ画像の投射経路を示す縦断側面図である。
【００４９】
本実施の形態における折り返し鏡２２ａは、光Ｌｃを下向きに偏向させる向きに配置され、また、本実施の形態における折り返し鏡２２ｂは、折り返し鏡２２ａと鏡面を平行に向かい合わせて配置される。
【００５０】
そして、本実施の形態の陳列棚１では、投影鏡２４ｃが空間的に余裕のある載置台６ｃの下方の下部空間１９に配置される。
【００５１】
このため、奥側画像投影空間１７に位置づけられる鏡の枚数が少なくなり、奥側画像投影空間１７の奥行きをスリム化することができる。
［別の実施の形態］
次いで、さらに別の実施の形態を図６に基づいて説明する。この場合、図１ないし図５に基づいて説明した実施の一形態と同一の部分は同一符号で示し、説明も省略する。
【００５２】
本発明の別の実施の一形態の陳列棚１は、プロジェクタ装置１４と主反射鏡２１とが陳列棚１の上側に配置されている点が、前述した実施の形態と相違する。
【００５３】
図６は、本実施の形態においてスクリーン７に投影されるプロジェクタ画像の投射経路を示す縦断側面図である。
【００５４】
本実施の形態における天板２の前端の下方にはスクリーン７ｄは配置されず、代わりに陳列棚１の内部空間に光が侵入するのを防ぐ上部前板１１ａが配置される。この上部前板１１ａは、顧客の目に止まりやすい陳列棚１の最上部に位置づけられて配置されるため、陳列棚１の前面側にＰＯＰ広告を貼り付けて陳列棚１に陳列された品物４の販促アピールを行うことができる。
【００５５】
また、本実施の形態のプロジェクタ設置部１９ａは、最上段に配置される品物４を載置可能な載置空間よりも上方に形成される段部画像投影空間１８ｄに設けられる。段部画像投影空間１８ｄの底面を構成する天井板９の上には、後方水平方向にプロジェクタ画像を投射する向きに、プロジェクタ装置１４が配置される。すなわち、本実施の形態において、段部画像投影空間１８ｄの底面を構成する天井板９は、プロジェクタ設置部１９ａとしての機能も果たす。ここで、段部画像投影空間１８ｄを前述した実施の形態よりも高い位置に設けることによって、プロジェクタ画像をスクリーン７に結像させるために十分な光学的距離を確保することができる。
【００５６】
また、本実施の形態における主反射鏡２１は、プロジェクタ装置１４から投射されるプロジェクタ画像を下方向に偏向させる向きに配置される。
【００５７】
本実施の形態の陳列棚１によっても、載置台６の前端にスクリーン７が鉛直方向よりも上方向に向いて傾斜して設置され、スクリーン７の裏面側から表面側にプロジェクタ画像が透過投影されるので、立ち姿勢の顧客にもプロジェクタ画像を見やすく表示させることができる。さらに、本実施の形態の陳列棚１では、プロジェクタ装置１４は陳列棚１の上方に配置されるので、図６に示すように、最下段に配置されるスクリーン７ｃをさらに低い位置に設けることができる。
【００５８】
なお、プロジェクタ画像が反射する鏡の枚数が偶数枚であるか奇数枚であるかによって、スクリーン７に投影される分割プロジェクタ画像の上下が反転する。この場合、プロジェクタ画像の画像データのうち上下反転して分割プロジェクタ画像が投影されてしまうスクリーン７に対応する領域内の画像データ自体を予め上下反転させて画像データを作成した上で、スクリーン７にプロジェクタ画像を投影する必要がある。
【図面の簡単な説明】
【００５９】
【図１】陳列棚システムの全体の模式図である。
【図２】陳列棚の全体の斜視図である。
【図３】陳列棚の縦断側面図である。
【図４】スクリーンに投影されるプロジェクタ画像の投射経路を示す縦断側面図である。
【図５】別の実施の形態においてスクリーンに投影されるプロジェクタ画像の投射経路を示す縦断側面図である。
【図６】さらに別の実施の形態においてスクリーンに投影されるプロジェクタ画像の投射経路を示す縦断側面図である。
【符号の説明】
【００６０】
１…陳列棚、４…品物、６…載置台、７…透過型スクリーン、１４…プロジェクタ装置、１９ａ…プロジェクタ設置部、２１…主反射鏡（光学系）、２２…折り返し鏡（光学系）、２３…光学系、２４…投影鏡（光学系）
【図１】
2008194121.tif 000003
【図２】
2008194121.tif 000004
【図３】
2008194121.tif 000005
【図４】
2008194121.tif 000006
【図５】
2008194121.tif 000007
【図６】
2008194121.tif 000008